(57)【要約】【課題】簡易な構成で起立安定性が高く操作性に優れた座椅子を提供する。【解決手段】左右の着座アーム４、５のうちの一方を回転軸４ａ又は５ａを中心に所定方向へ回転させると、リンク材８の長手方向に作用する押動若しくは引張りにより他方を回転軸５ａ又は４ａを中心に反対方向へ回転するように左右の着座アーム４、５が連動して開閉する。【選択図】      図１
2004337516.tif 000002
【特許請求の範囲】
【請求項１】
人が上半身を起こして座ったまま背中に背もたれ部を当てて着座することが可能な座椅子において、
前記背もたれ部を支持するベース板と、
前記ベース板の長手方向に平行な直線上に設けられた回転軸を中心に回動自在に取り付けられ、人の大腿部の裏側へ両側から進入して当該大腿部の裏側にて押さえることが可能な左右の着座アームと、
前記着座アームの長手方向に対向する側縁部に両側で位置をずらして突設されたリンク連結部と、
前記リンク連結部に両端が回動可能に連結し、ベース板の長手方向に平行な直線に対して交差するような傾きをもって取り付けられる単一のリンク材とを具備し、
前記左右の着座アームのうちの一方を回転軸を中心に所定方向へ回転させると、リンク材の長手方向への押動若しくは引張りにより他方を回転軸を中心に反対方向へ回転するように左右の着座アームが連動して開閉することを特徴とする座椅子。
【請求項２】
前記左右の着座アームの回転軸からリンク連結部とリンク材との連結部までの距離が等しくなるように設計されていることを特徴とする請求項１記載の座椅子。
【請求項３】
前記リンク連結部に連結するリンク材の長手方向に作用する力を、当該連結部が描く回転軌跡円の径方向及び接線方向の分力に分解した場合、当該接線方向の分力のみが作用して左右の着座アームが互いに反対方向へ回転することを特徴とする請求項１又は２記載の座椅子。
【発明の詳細な説明】
【０００１】
【発明の属する利用分野】
本発明は、人が上半身を起こして座ったまま背中に背もたれ部を当てて着座することが可能な座椅子に関する。
【０００２】
【従来の技術】
家庭、旅館、飲食店の座敷などで使用されている座椅子は、着座板に背もたれ部が固定されているか、若しくは背もたれ部がリクライニングできるように起立角度が変えられるものが多い。
【０００３】
この座椅子をテーブルの前において置くと、人が腰降ろすときや立ち上がるときなどに座椅子が邪魔になることが多いため、人が上半身を起こして座ったままで背中に背もたれ部を当てて着座用の支持材を両側太腿の外側から内側へ挿入することで利用できる座椅子が提案されている。（特許文献１参照）。
【０００４】
【特許文献１】
実公平３−１６５１９号公報
【０００５】
上記特許文献１に提案された座椅子は、背もたれ部に支持材を両側で開閉可能に設けられるか、或いは背もたれ部を起立して支持する支持台に湾曲杆を開閉可能に設けられている。上記座椅子に座る場合には、例えば図４において、支持台５１を背もたれ部５２に対して両側に各々開いた状態で、人が座ってから支持台５１を引寄せるように回転させて太腿の裏側へ各々挿入しなければ、背もたれ部５２にもたれかけた状態で座ることができず、かかる支持台５１の個別操作が煩わしい。
また、背もたれ部５２に対して支持台５１を両側へ各々開いた状態では、座椅子を起立することが不安定となるため、倒れるおそれがあり起立安定性に欠ける。
特に、体が不自由な高齢者や身体障害者等が利用するには使い勝手が悪いという課題があった、
更に、座椅子は床において場所を取らず、小型軽量で持ち運び易く、簡易な構成にしたいというニーズがある。
【０００６】
本発明の目的は、簡易な構成で起立安定性が高く操作性に優れた座椅子を提供することにある。
【０００７】
【課題を解決するための手段】
上記課題を解決するため、本発明は次の構成を備える。
即ち、人が上半身を起こして座ったまま背中に背もたれ部を当てて着座することが可能な座椅子において、前記背もたれ部を支持するベース板と、前記ベース板の長手方向に平行な直線上に設けられた回転軸を中心に回動自在に取り付けられ、人の大腿部の裏側へ両側から進入して当該大腿部の裏側にて押さえることが可能な左右の着座アームと、前記着座アームの長手方向に直交して対向する側縁部に長手方向に位置をずらして突設されたリンク連結部と、両端が前記リンク連結部に回動可能に連結し、ベース板の長手方向に平行な直線に対して交差するような傾きをもって取り付けられる単一のリンク材とを具備し、前記左右の着座アームのうちの一方を回転軸を中心に回転させると、リンク材の長手方向への押動若しくは引張りにより他方を回転軸を中心に反対方向へ回転するように左右の着座アームが連動して開閉することを特徴とする。
また、前記左右の着座アームの回転軸からリンク連結部とリンク材との連結部までの距離が等しくなるように設計されていることを特徴とする。
更に、前記リンク連結部に連結するリンク材の長手方向に作用する力を、当該連結部が描く回転軌跡円の径方向及び接線方向の分力に分解した場合、当該接線方向の分力のみが作用して左右の着座アームが互いに反対方向へ回転することを特徴とする。
【０００８】
【発明の実施の形態】
以下、本発明の好適な実施の形態について添付図面と共に詳述する。本実施形態では主にテーブルを囲んで座敷などで使用する座椅子について説明する。
図１及び図２はベース部材に対し着座アームが開閉前後の状態を示す説明図、図３は座椅子の一例を示す斜視説明図である。
【０００９】
先ず、座椅子の全体構成について図１及び図３を参照して説明する。
図３に座椅子の一例を示す。座椅子１は、人が上半身を起こして座ったまま背中に背もたれ部２を当てて着座することができるように以下の構成を有する。
ベース板３は、背もたれ部２を起立支持する。背もたれ部２は、ベース板３上で起立角度が多段階に変更できる公知のリクライニング機構が設けられていても良い。
【００１０】
図１において、左右の着座アーム４、５は、ベース板３の長手方向両端側で回転軸４ａ、５ａを中心に回動自在に取り付けられている（図１参照）。着座アーム４、５のアーム先端部４ｂ、５ｂはＬ字状に形成されており、左右の大腿部の裏面側に進入して当該大腿部の裏面側で浮き上がりを押さえることができるようになっている。着座アーム４、５の回転軸４ａ、５ａは、ベース板３の長手方向に平行な直線Ｈ上に設けられている。
着座アーム４、５の長手方向に対向する側縁部にはリンク連結部６、７が位置をずらして各々突設されている。リンク連結部６、７には単一のリンク材８の両端が連結部８ａ、８ｂにて回動可能に連結し、ベース板３の長手方向に平行な直線Ｈに対して交差するような傾きをもって取り付けられる。
【００１１】
左右の着座アーム４、５のうちの一方を回転軸４ａ又は５ａを中心に回転させると、リンク材８の長手方向への押動若しくは引張りにより他方を回転軸５ａ又は４ａを中心に反対方向へ回動するように左右の着座アーム４、５が連動して開閉するようになっている。
【００１２】
具体的には、左右の着座アーム４、５の回転軸４ａ、５ａからリンク連結部６、７とリンク材８との連結部８ａ、８ｂまでの距離Ｒが等しくなるように設計されている。また、各リンク連結部６、７にリンク材８の長手方向に作用する力Ｆを、当該リンク連結部６、７の連結部８ａ、８ｂが描く回転軌跡円９（図１破線）の径方向の分力Ｆ１及び接線方向の分力Ｆ２に分解した場合、リンク材８は径方向には移動できないため、当該接線方向の分力Ｆ２のみが作用して、左右の着座アーム４、５が互いに反対方向へ回転するようになっている。
【００１３】
この場合、リンク材８の傾きや長さは左右の着座アーム４、５の回転半径Ｒによって異なり、左右の着座アーム４、５の回動範囲は中心角で略４５度程度（着座アーム４、５間の開き角が０度から略９０度範囲）に設計されている。
また、着座アーム４、５の回転軸４ａ、５ａは、背もたれ部２の位置を考慮すると、着座アーム４、５のアーム先端部４ｂ、５ｂと反対側端部よりに設けられるのが望ましい。
【００１４】
上述した座椅子１を使用する場合には、図２おいて、左右の着座アーム４、５を背もたれ部２の両側に開いた状態にして座椅子１を起立させておく。このとき、座椅子１は左右の着座アーム４、５が略９０度に開いた状態にあるため、起立安定が良い。
【００１５】
この状態で、両側へ開いた着座アーム４、５間で人が上半身を起こしたまま座り、一方の着座アーム４又は５をアーム先端部４ｂ又は５ｂが大腿部の下側に進入させるべく、図２の矢印方向へ回転させる。すると、リンク連結部６、７の連結部８ａ、８ｂに、リンク材８の長手方向に作用する力Ｆのうち、接線方向の分力Ｆ２のみが作用して左右の着座アーム４、５が互いに反対方向へ回転する。そして、左右の着座アーム４、５が連動して図１のように両側から平行となる閉じた位置へ回転し、アーム先端部４ｂ、５ｂを大腿部の裏面側に進入させることができる。
【００１６】
このように、１回のしかも片側だけのアーム操作で背もたれ部２にもたれた状態で座ることができる。背もたれ部２に背中をもたれかけた時の着座アーム４、５の浮き上がりは、大腿部の裏面側でアーム先端部４ｂ、５ｂを押さえることができるので、座椅子１が傾倒するおそれはない。
【００１７】
上述した座椅子１を用いれば、左右の着座アーム４、５のうちの一方を回転軸４ａ、５ａを中心に所定方向へ回転させると、リンク材８の長手方向への押動若しくは引張りにより他方を回転軸５ａ、４ａを中心に反対方向へ回転するように左右の着座アーム４、５が連動して開閉するので、１回のしかも片側だけのアーム操作で背もたれ部２にもたれかけた状態で座ることができ、使い勝手に優れている。
また、左右の着座アーム４、５の回転軸４ａ、５ａからリンク連結部６、７とリンク材８との連結部８ａ、８ｂまでの距離Ｒが等しくなるように設計されているので、左右の着座アーム４、５の回転移動量は同じになるため、座椅子１の起立安定性が高い。
更には、リンク連結部６、７に連結するリンク材８の長手方向に作用する力Ｆのうち、接線方向の分力Ｆ２のみが作用して左右の着座アーム４、５が互いに反対方向へ回転するので、左右のアームの回転追従性が良く、しかも単一のリンク材８を用いた簡易な構造であるので、小型軽量化を実現でき、持ち運びに便利な座椅子１を提供できる。
【００１８】
本発明は、上述した各実施の態様は座敷などで健常者が使用する座椅子１として利用について説明したが、これに限定されるものではなく、寝たきりや体の不自由な人をベッド等から上半身を起こして座らせるために用いても良い等、更に多くの改変を施し得るのはもちろんである。
【００１９】
【発明の効果】
本発明に係る座椅子を用いれば、左右の着座アームのうちの一方を回転軸を中心に所定方向へ回転させると、リンク材を介した押動若しくは引張りにより他方を回転軸を中心に反対方向へ回転するように左右の着座アームが連動して開閉するので、１回のしかも片側だけのアーム操作で背もたれ部にもたれかけた状態で座ることができ、使い勝手に優れている。
また、左右の着座アームの回転軸からリンク連結部とリンク材との連結部までの距離が等しくなるように設計されているので、左右の着座アームの回転移動量は同じになるため、座椅子の起立安定性は高い。
更に、リンク連結部に連結するリンク材の長手方向に作用する力のうち、接線方向の分力のみが作用して左右の着座アームが互いに反対方向へ回転するので、左右のアームの回転追従性がよく、しかも単一のリンク材を用いた簡易な構造であるので、小型軽量化を実現でき、持ち運びに便利な座椅子を提供できる。
【図面の簡単な説明】
【図１】ベース部材に対し着座アームが閉じた状態を示す説明図である。
【図２】ベース部材に対し着座アームが開放した状態を示す説明図である。
【図３】座椅子の一例を示す斜視説明図である。
【図４】図４は従来の座椅子の課題を示す説明図である。
【符号の説明】
１  座椅子
２  背もたれ部
３  ベース板
４、５着座アーム
４ａ、５ａ  回転軸
４ｂ、５ｂ  アーム先端部
６、７リンク連結部
８  リンク材
８ａ、８ｂ  連結部
９  回転軌跡円
【図１】
2004337516.tif 000003
【図２】
2004337516.tif 000004
【図３】
2004337516.tif 000005
【図４】
2004337516.tif 000006